(57)【要約】      （修正有）【課題】マスクを長時間使用した場合や含水マスクの重みから、ひもによる耳の付け根への圧迫から生じるうっ血状態を軽くし、くい込みによる耳の痛みを解消する。【解決手段】マスクの一本の調節ひも、耳掛けひもその中間にあって、これを繋ぐ上下に交差したひもの三者が連動しているもので、耳に対するひもの長短を簡単即座、自由に解決するものであり、また、耳掛けひもにかかる、耳への圧迫、痛み、うっ血状態に対しては、ニ輪（わ）のひもを軽く撚り合す事によって、耳の付け根部分へのひもの当りを軽減分散させて、耳への苦痛を無くする事を特徴とする耳掛けひもである。【選択図】図３
0003111188.tif 000002
【実用新案登録請求の範囲】
【請求項１】
鼻、口に充てるマスクのひもを一本の連動したひもとして、耳掛け部を二輪（わ）とするために、ひも通し部に二ケ所の交差を有し、三通しとなって、マスクの裏面においては、調節部となり、そのひもは、二輪の耳掛けひもして完成させ、更にこの二輪を撚って撚り戻り防止のために、結び目の端により、撚り戻り防止とした調節が自由簡単なマスクのひも。
【考案の詳細な説明】
【技術分野】
【０００１】  鼻、口に充てるマスクの耳かけひもに関するものである。
【背景技術】
【０００２】  従来の鼻、口充て用マスクにおけるひもの耳掛け部は、通常一本一輪（わ）である。【０００３】  一本掛けマスクのひもは、長時間での使用や風邪予防の含水マスクの使用の場合は、マスクの重みにより、ひもが伸び易くなるが、その調節の技術は、結び目を結び直すという従来の手法のままである【０００４】  ひもを結び直したために、ひもが短くなり、きつ過ぎることもあるが、その調節もひもを結び直す従来の手法のままである。【０００５】  鼻、頬にも使用出来るマスクにおいて、二重内径によるひもの調節と言う連動させた技術も公開されている。【０００６】
【特許文献１】  特開平９−１０３４２号公報
【考案の開示】
【考案が解決しようとする課題】
【０００７】  マスクを長時間使用した場合や含水マスクの重みから、ひもによる耳の付け根への圧迫から生じるうっ血状態を軽くし、くい込みによる耳の痛みを解消する。【０００８】  含水マスク等の重みでひもが伸びた場合に調節のために結び目を結び直す手間を解決する。また、ひもを結び直した場合に逆にひもを短くし過ぎてきつくなり再度結びなおす事は高熱の病人、高齢者、年少者にとっては、好ましくない事である。【０００９】  特開平９−１０３４２号公法のマスクのひもは、一本のひもを交差させる事となっていないので、ひもが、ずるずると抜け伸びるので安定せず完全でないと言える。
【課題を解決するための手段】
【００１０】  マスクに取り付けた、ひもの伸びに対しては、マスクの裏面に出してある一本の連動した調節ひもを左右に操作することによって、ひも通し部において交差させている、ひものためにむやみに抜け伸びる事もなく、耳に合わせたものが即座に調節出来る。【００１１】  耳の痛みに対しては、二輪の耳掛けひもに軽く撚りを掛け、皮膚面への圧迫を軽減して痛みの要因を解消する。【００１２】  ひもの伸びは、調節ひもが操作される事により、耳掛ひもに連動されてひもの伸び過ぎを調節ひもに余ったものとして残す事になり、即座に耳に合ったものとする事が出来る。【００１３】  きつ過ぎるひもは、調節ひもに最も近いひもに付けてある色付けを目印として、それぞれを左右ひも通し部を横にして引くと余っている調節ひもが引かれ、その後で二輪の中に指を入れて左右に２〜３度引くと直ちに耳に合ったものとする事が出来る。
【考案の効果】
【００１４】  一本の連動した調節ひもによって、ひもの耳への長短は即座に耳に合わせたものとする事が出来、年少者等にとっても楽にひもの長短を解決する事が出来る。【００１５】  マスクのひもの耳への圧迫による痛みは、二輪の耳掛けひもを軽く撚り合わせて使用することにより、痛みは軽減され、長時間の使用にも痛みを感じることなく使用出来る。
【考案を実施するための最良の形態】
【００１６】  図１に示したものは、マスク１の耳掛ひもを二輪にしての２．３。マスクのひも通し部９への三通し２ｂ．２ａ．３ｂと裏面５へ伸びる調節ひも２ｂ．４をそれぞれ連動させるべく一本のひもを使用したマスクの本体表正面図である。７は耳掛けひもの外部においてのひもの両端の結び目であり、また、撚りをかけた二輪のひもの撚り戻り防止にもその端８が使われる。１２は、２ａ，４の調節ひもがマスクの縁に寄らないように、二目程のミシンがけである。６はひも通し部のミシンの縫い目である。１０．１１については、図３の拡大図で説明する。【００１７】  図２は、マスク本体裏面５である。裏面には耳掛けひも２．３に連動した一本のひもの一部である調節ひも２ａ．４がひも通し部９の上下より出る。【００１８】  図３は、ひも通し部９に内包されている三通しのひも２ｂ．３ａ．３ｂの調節ひも２ａ．４に対しての、また、耳掛けひも２．３に対しての連動した仕組みを机上において実際に並べたものを写し拡大したものである。【００１９】  図３，７は、耳掛けひもに使用する一本のひもの両端を最後に結んで輪にしたもので、結び目から出た二本の端の内一本８を二輪の耳掛けひもを軽く撚ったものに挟んで、その撚り戻りをとめるものとする。１２は、調節ひも２ａ．４がマスクの縁へ寄らないためのミシン縫い目である。【００２０】  図３の２ｃ．４ａは、伸びた耳掛けひも２．３を短く調節した時に出る、調節ひも２ａ．４の余った、ゆとりのひもである。
【実施例】
【００２１】  図１耳掛けひも２．３が、二輪共に伸びた場合で耳に合った長さが予測される場合、一旦撚りを戻してから調節ひも２．４の端に親指を入れ、２〜３度両端に引くだけで即座に調節出来る。余った調節ひも２．４は、ゆとり分として耳掛けひもを伸ばす時に使用する。【００２２】  図２．図３の耳掛けひも２．３が共に伸び耳に合った長さが予測されない場合は、一旦撚りを戻し二輪状態にした後、再び耳に掛けマスク裏面５に指を入れ、調節ひもの４を引いて耳に合わせた後、もう一度マスクをはずして引かれてない方の調節ひも２ａを端に引くと耳に合った調節が出来る。始めに調節ひも２を引いた場合は総て逆の順序で調節する。【００２３】  図２．図３の耳掛けひもが、一輪、例えば３のみ伸びた場合、マスクの下部に於いて色付けされている３のひもの目印１１の反対側、マスク５の上部の調節ひも２ａを指でつまみ、他方の耳掛けひも２に合わせながら、端に引くと即座に調節出来る。【００２４】  耳掛けひも２．３が二輪共きつい場合で耳に合ったひもの長さが予測出来る場合には、二輪の耳掛けひも２．３の中に同時に指を入れ両端に引くと調節ひも２ａ．４が伸びて即座に調節出来る。【００２５】  耳掛けひも２．３が、二輪共きつい場合で、耳に合った長さが予測されない場合は、一旦撚りを戻して、二輪の状態にした後、色付けをされているひも１０．１１のうち、どちらかを引きながら、耳に合わせ、連動した耳掛けひも３を余っている調節ひも２を伸ばして耳に合わせたところで、他方の耳掛けひも２を３に合わせれば、４は連動されて耳にあった調節が出来る。なお、ひもの撚りは、使用者が撚る事で各人の好みで調整する事が出来る。【００２６】  耳掛けひも２．３が、一輪のみきつい場合は、そのひもの色付け部１０．１１のどちらかを引くと調節ひも２が伸びて即座に調節出来る。
【図面の簡単な説明】
【００２７】
【図１】マスク耳掛けひもの表正面図
【図２】マスク耳掛けひもの裏面図
【図３】マスク耳掛けひもの通し部分と耳掛けひもの裏面拡大図
【符号の説明】
【００２８】  １    マスク本体正面
２    耳掛けひも
２ａ  調節ひも
２ｂ  耳掛けひも３と調節ひも２を連動させるひも
２ｃ  調節ひも２の余分分
３    耳掛けひも
３ａ  耳掛けひも２と調節ひも４を連動させるひも
３ｂ  耳掛けひも２と３を連動させるひも
４    調節ひも
４ａ  調節ひも４の余分分
５    マスク本体裏面
６    マスク通し部のミシン縫い目
７    マスクひもの結び目
８    結び目の端
９    ひもの通し部
１０    耳掛けひもの色付け部分
１１    耳掛けひもの色付け部分
１２    調節ひもの縁寄り防止
【図１】
0003111188.tif 000003
【図２】
0003111188.tif 000004
【図３】
0003111188.tif 000005